(57)【要約】【課題】組立作業が容易で、かつ自立性に優れる梱包用仕切材を提供する。【解決手段】包装箱に収容されて包装箱内の空間を仕切る梱包用仕切材１において、板状の部材が折り曲げられて、上下方向に延びる折曲縁１１が形成され、折曲縁１１を介して設けられた第一の板部１２と第二の板部１４とは、折曲縁１１を軸にして角度θ１が広がる方向に付勢され、第一の板部１２の下端１３には、第二の板部１４から離れる方向に延びる第一の脚部２０が延設され、第二の板部１４の下端１５には、第一の板部１２から離れる方向に延びる第二の脚部３０が延設され、第一の脚部２０及び第二の脚部３０は、包装箱内で、包装箱における折曲縁１１に面する内面に当接して、第一の板部１２と第二の板部１４とのなす角度θ１を任意の角度に維持することよりなる。【選択図】図１
2015209228.tif 000002
【特許請求の範囲】
【請求項１】
包装箱に収容されて前記包装箱内の空間を仕切る梱包用仕切材において、
板状の部材が折り曲げられて、上下方向に延びる折曲縁が形成され、
前記折曲縁を介して設けられた第一の板部と第二の板部とは、前記折曲縁を軸にして角度が広がる方向に付勢され、
前記第一の板部の下端には、前記第二の板部から離れる方向に延びる第一の脚部が延設され、前記第二の板部の下端には、前記第一の板部から離れる方向に延びる第二の脚部が延設され、
前記第一の脚部及び前記第二の脚部は、前記包装箱内で、前記包装箱における前記折曲縁に面する内面に当接して、前記第一の板部と前記第二の板部とのなす角度を任意の角度に維持することを特徴とする、梱包用仕切材。
【請求項２】
前記第一の脚部は、前記の折曲縁に面する内面に当接する第一の辺を有し、
前記第二の脚部は、前記の折曲縁に面する内面に当接する第二の辺を有し、
前記第一の板部と前記第一の脚部との境界線と、前記第一の辺とのなす角度は、前記第二の板部と前記第二の脚部との境界線と、前記第二の辺とのなす角度よりも小さいことを特徴とする、請求項１に記載の梱包用仕切材。
【請求項３】
前記第一の脚部と前記第二の脚部とは、互いに上下方向にずれていることを特徴とする、請求項１又は２に記載の梱包用仕切材。
【発明の詳細な説明】
【技術分野】
【０００１】
本発明は、梱包用仕切材に関する。
【背景技術】
【０００２】
輸送用の包装箱に物品を収容する際、包装箱内に梱包用仕切材を設けて、流通過程で物品が所定の位置から移動したり、物品同士が接触して破損するのを防止している。
例えば、特許文献１には、収容されるべき物品の寸法に応じた間隔をもって設けられる１以上の仕切壁をもつものであって、仕切壁基盤の上下について左右交互の位置に台紙を切り込んで上下２枚又はそれ以上の枚数の壁面を連結部により離隔して形成し、その壁面から突出した係止片部分において相互に係止状にすることにより仕切壁を構成した箱用中仕切切台紙が開示されている。特許文献１の発明によれば、包装箱が動揺した際に、仕切壁が倒れたりせず、物品を整然と収容した状態を維持することが図られている。
また、例えば、特許文献２には、複数個の物品載置板部を備え、隣接する２個の物品載置板部間には、一対の第１立上り板部及び第２立上り板部からなる仕切り板部が形成され、第１立上り板部及び第２立上り板部の端縁には、それぞれ第１折目及び第２折目を介して第１折込み片部及び第２折込み片部が連設され、第１折込み片部と第２折込み片部とが互いに第３折目を介して連結され、第１折込み片部及び第２折込み片部が、それぞれ第１折目及び第２折目から折り曲げられると共に互いに第３折目から折り曲げられた状態で、両立上り板部間に折り込まれた包装容器が開示されている。特許文献２の発明によれば、仕切り板部の自立性が高められている。
【０００３】
特許文献１〜２に記載された発明は、梱包用仕切材の自立性を高められるものの、大きさの異なる物品を収容することを想定していない。
例えば、太さが異なる複数の物品を１つの包装箱に収容する場合には、図１０に示す梱包用仕切材９００のように、板状の部材を複雑に折り曲げて、収容される物品に応じた収容部を形成する必要がある。
【先行技術文献】
【特許文献】
【０００４】
【特許文献１】実公昭６３−３５９４８号公報
【特許文献２】登録実用新案第３０８１９８５号公報
【発明の概要】
【発明が解決しようとする課題】
【０００５】
しかしながら、特許文献１〜２の発明や梱包用仕切材９００は、これを組み立てるのが煩雑である。
加えて、梱包用仕切材９００は、収容される物品に対して梱包用仕切材の部材量が多く、経済的に不利である。
そこで、本発明は、組立作業が容易で、かつ自立性に優れる梱包用仕切材を目的とする。さらに、本発明は、大きさの異なる物品を安定して収容できる梱包用仕切材を目的とする。
【課題を解決するための手段】
【０００６】
本発明の梱包用仕切材は、包装箱に収容されて前記包装箱内の空間を仕切る梱包用仕切材において、板状の部材が折り曲げられて、上下方向に延びる折曲縁が形成され、前記折曲縁を介して設けられた第一の板部と第二の板部とは、前記折曲縁を軸にして角度が広がる方向に付勢され、前記第一の板部の下端には、前記第二の板部から離れる方向に延びる第一の脚部が延設され、前記第二の板部の下端には、前記第一の板部から離れる方向に延びる第二の脚部が延設され、前記第一の脚部及び前記第二の脚部は、前記包装箱内で、前記包装箱における前記折曲縁に面する内面に当接して、前記第一の板部と前記第二の板部とのなす角度を任意の角度に維持することを特徴とする。
前記第一の脚部は、前記の折曲縁に面する内面に当接する第一の辺を有し、前記第二の脚部は、前記の折曲縁に面する内面に当接する第二の辺を有し、前記第一の板部と前記第一の脚部との境界線と、前記第一の辺とのなす角度は、前記第二の板部と前記第二の脚部との境界線と、前記第二の辺とのなす角度よりも小さくてもよい。また、前記第一の脚部と前記第二の脚部とは、互いに上下方向にずれていてもよい。
【発明の効果】
【０００７】
本発明の梱包用仕切材によれば、組立作業が容易で、かつ自立性に優れる物品を安定して収容できる。さらに、本発明の梱包用仕切材によれば、大きさの異なる物品を安定して収容できる。
【図面の簡単な説明】
【０００８】
【図１】本発明の第一の実施形態にかかる梱包用仕切材の斜視図である。
【図２】本発明の第一の実施形態にかかる梱包用仕切材のブランクの平面図である。
【図３】本発明の第一の実施形態にかかる梱包用仕切材を包装箱に収容した状態を示す斜視図である。
【図４】本発明の第一の実施形態にかかる梱包用仕切材を用いた梱包体の斜視図である。
【図５】梱包用仕切材の比較例を示す斜視図である。
【図６】本発明の第二の実施形態にかかる梱包用仕切材の斜視図である。
【図７】本発明の第二の実施形態にかかる梱包用仕切材のブランクの平面図である。
【図８】本発明の第二の実施形態にかかる梱包用仕切材の斜視図である。
【図９】本発明の第二の実施形態にかかる梱包用仕切材のブランクの平面図である。
【図１０】従来の仕切材の一例を示す斜視図である。
【発明を実施するための形態】
【０００９】
本発明の梱包用仕切材（以下、単に仕切材ということがある）は、複数の物品と共に包装箱に収容されて用いられる。以下、本発明の仕切材について、実施形態を挙げて説明する。
【００１０】
（第一の実施形態）
本発明の第一の実施形態にかかる仕切材について、以下に図面を参照して説明する。
図１の仕切材１は仕切本体１０と、仕切本体１０の下端に設けられた第一の脚部２０及び第二の脚部３０とを備える。
仕切本体１０は、板状の部材が折り曲げられて、上下方向に延びる折曲縁１１が形成されている。折曲縁１１を介して設けられた第一の板部１２と第二の板部１４とは、折曲縁１１を軸にして角度θ１が広がる方向に付勢されている。この角度θ１は特に限定されないが、例えば、２０〜７５°とされる。上記範囲内であれば、仕切本体１０の自立性をより高められる。
【００１１】
第一の板部１２の下端１３には、第一の脚部２０が延設され、第二の板部１４の下端１５には、第二の脚部３０が延設されている。本実施形態において第一の板部１２の下端１３及び第二の板部１４の下端１５は、折曲縁１１の端部に位置する。第一の脚部２０は第二の板部１４から離れる方向に延び、第二の脚部３０は、第一の板部１２から離れる方向に延びている。即ち、第一の脚部２０と第二の脚部３０とは、互いに離れる方向に延びている。
【００１２】
第一の脚部２０は、平面視矩形とされ、第一の板部１２から離れるに従い縮幅する。第二の脚部３０は、第二の板部１４から同じ幅で伸びる平面視長方形とされている。
第一の脚部２０は、仕切材１が包装箱に収容された際に、包装箱における折曲縁１１に面する内面に当接する第一の辺２１を有する。第一の板部１２と第一の脚部２０との境界（即ち、下端１３）線と、第一の辺２１とは、角度θ２で交差している。
第二の脚部３０は、仕切材１が包装箱に収容された際に、包装箱における折曲縁１１に面する内面に当接する第二の辺３１を有する。第二の板部１４と第二の脚部３０との境界（即ち、下端１５）線と、第二の辺３１とは、角度θ３で交差している。
角度θ２と角度θ３との合計は、１８０°未満である。角度θ２と角度θ３との合計が１８０°以上では、角度θ１が形成されない。角度θ２と角度θ３との合計は、１１０〜１７０°が好ましく、１２０〜１６０°がより好ましい。上記範囲内であれば、仕切本体１０の自立性をより高められる。
本実施形態において、角度θ２は鋭角とされ、角度θ３は直角とされている。即ち、角度θ２は、角度θ３よりも小さい。
【００１３】
仕切材１の大きさは、仕切材１が収容される包装箱の大きさ等に応じて適宜決定される。
【００１４】
仕切材１は、例えば、図２のブランク１ａにより構成される。
ブランク１ａは、板状の部材である。ブランク１ａは、平面視長方形の第一の板部１２と、第一の板部１２の長手を形成する一方の辺から延設された平面視長方形の第二の板部１４とを備え、第一の板部１２と第二の板部１４との境界に山折線１１ａが形成されている。
本稿において長方形とは、頂部に曲線や直線の隅切が形成されたものや、各辺が曲線で形成されたものを含む概念である。
第一の板部１２の長手方向の一端には、第一の板部１２から延びる第一の脚部２０が延設され、この第一の脚部２０は、第一の板部１２から離れるに従い縮幅する平面視矩形とされている。第一の板部１２と第一の脚部２０との境界には谷折線１３ａが形成されている。第二の板部１４の長手方向の一端には、第一の脚部２０と同方向に延びる平面視長方形の第二の脚部３０が延設され、第二の板部１４と第二の脚部３０との境界には、谷折線１５ａが形成されている。谷折線１３ａと谷折線１５ａとは、１直線を形成し、この直線は山折線１１ａと直交する。
第一の脚部２０における第一の辺２１と、第二の脚部３０における第二の辺３１とは、第一の板部１２から離れるに従い、角度θ４で互いに離れる。即ち、第一の脚部２０は、第一の板部１２から離れるに従い、第二の脚部３０から離れる。
【００１５】
ブランク１ａの材質としては、折り曲げ加工が可能で、かつ折曲縁１１を軸にして、第一の板部１２と第二の板部１との角度θ１を広げる方向に付勢できるものであればよく、仕切材１に求める強度等を勘案して決定できる。ブランク１ａの材質としては、例えば、紙類又は紙類の成形加工品である紙製の材料、ポリエチレン、ポリプロピレン、ポリエステル等の樹脂の材料、紙製の材料に樹脂層又は金属層を設けた積層物等が挙げられる。
【００１６】
紙類は、ＪＩＳ  Ｐ０００１で定義される「紙」の他、ＪＩＳ  Ｐ０００１で定義される「板紙」を含む概念である。また、紙製とは、紙類、紙類の成形加工品でありＪＩＳ  Ｚ０１０４で定義される「段ボール」を含む概念である。
【００１７】
ブランク１ａの材質としては、紙製の中でも、ライナー紙等の段ボール原紙、白板紙、色板紙等の紙器用板紙、防水原紙、紙管原紙等の雑板紙等の板紙、段ボールが好ましい。板紙、段ボールは、自立性を有し、成形が容易であり、軽量で、持ち運びに便利である。
ブランク１ａに用いられる材料の厚さは、仕切材１に求める強度等を勘案して決定される。
【００１８】
本実施形態において、第一の脚部２０の長さＬ１は、第二の脚部３０の長さＬ２よりも短い。長さＬ１及び長さＬ２は、包装箱に収容される物品の大きさ等を勘案して適宜決定される。
【００１９】
ブランク１ａにおいて、第一の辺２１と第二の辺３１とのなす角度θ４は、収容される物品の大きさ等を勘案して適宜決定される。角度θ４を大きくするほど、第一の板部１２と第二の板部１４との開き具合（即ち、角度θ１）が大きくなる。
【００２０】
第一の板部１２の長さｌ１は、材質や包装箱の大きさ等を勘案して適宜決定される。本実施形態において、第二の板部１４の長さｌ２は、第一の板部１２の長さｌ１と同等とされている。
第一の板部１２の幅ｗ１は、材質や包装箱の大きさ等を勘案して適宜決定される。第二の板部１４の幅ｗ２は、第一の板部１２の幅ｗ１と同様である。第一の板部１２の幅ｗ１と第二の板部１４の幅ｗ２とは、同じでもよいし、異なってもよい。
【００２１】
ブランク１ａは、例えば、以下の手順で、図１の仕切材１とされる。
山折線１１ａでブランク１ａを山折りして折曲縁１１、第一の板部１２及び第二の板部１４を有する仕切本体１０を形成する。谷折線１３ａでブランク１ａを谷折りし、谷折線１５ａでブランク１ａを谷折りする。こうして、ブランク１ａから、仕切本体１０の下端に第一の脚部２０及び第二の脚部３０が設けられた仕切材１を得る。
【００２２】
次に、図３の梱包体２を作製する場合を例にして、仕切材１の使用方法を説明する。
図３の梱包体２は、包装箱５０内に、第一の物品６１と第二の物品６２とが仕切本体１０を介して隣り合って収容されたものである。
本実施形態において、第一の物品６１は、第二の物品６２よりも細い物品である。
【００２３】
包装箱５０は、直方体であり、前板部５５には開口部５６が形成されている。開口部５６は、透光性を有するフィルムで覆われ、包装箱５０の内部が視認可能とされている。
前板部５５の上端には、上方に突出する上方板部５８が延設され、上方板部５８には、係止孔５９が形成されている。
包装箱５０の材質としては、包装箱５０に求められる強度等を勘案して適宜決定され、例えば、ブランク１ａと同様の材質が挙げられる。
【００２４】
第一の物品６１及び第二の物品６２を包装箱５０に収容する手順について、図４を参照して説明する。
図４は、包装箱５０内に仕切材１を収容した様子を模式的に表した斜視図であり、説明の便宜上、包装箱５０の詳細部の図示を省略し、包装箱５０を透過した状態で示されている。
【００２５】
図４に示す通り、第一の脚部２０及び第二の脚部３０が包装箱５０の底部５４に当接するように、仕切材１を包装箱５０に収容する。
包装箱５０内に収容された仕切材１は、角度θ１を広げるように付勢されているため、第一の板部１２と第二の板部１４とが広がるように作用する。そして、第一の辺２１及び第二の辺３１が前板部５５の内面に当接することで、第一の板部１２と第二の板部１４とのなす角度θ１が、所望の角度で規制される。こうして、包装箱５０内は仕切本体１０により仕切られて、第一の収容部５１と第二の収容部５２とが形成される。この状態において、第一の収容部５１は、第二の収容部５２よりも横断面積が小さく、小容量になっている。本実施形態において、前板部５５の内面は、仕切材１を包装箱５０に収容した際に、折曲縁１１に面する内面である。
【００２６】
次いで、第一の収容部５１に第一の物品６１を収容し、第二の収容部５２に第二の物品６２を収容する。この際、第一の板部１２と第二の板部１４とは角度θ１を広げる方向に付勢されているため、角度θ１が維持される。即ち、第一の物品６１及び第二の物品６２を包装箱５０に収容しても、第一の収容部５１の容積及び第二の収容部５２の容積は維持される。
【００２７】
例えば、図５に示す仕切材８００のように、第一の板部１２と第二の板部１４とが折曲縁１１を軸に角度θ１で広がっていない場合、仕切本体１０は、第一の脚部２０方向や第二の脚部３０方向に容易に傾いてしまう。例えば、仕切本体１０が第二の脚部３０方向に傾いてしまうと、第一の脚部２０上に載せた物品の姿勢が不安定となる。
【００２８】
本実施形態によれば、第一の板部１２と第二の板部１４とが、折曲縁１１を軸に角度θ１で開いているため、仕切本体１０は優れた自立性を有する。
加えて、第一の板部１２と第二の板部１４とが、角度θ１を広げる方向に付勢され、第一の脚部２０及び第二の脚部３０が包装箱５０の前板部５５の内容面に当接して、θ１を任意の角度に維持するため、第一の収容部５１及び第二の収容部５２を任意の容積に維持しやすい。
さらに、角度θ２が角度θ３よりも小さいため、仕切本体１０は第一の収容部５１方向に大きく開き、第一の収容部５１の容積を小さくする。このため、第一の収容部５１の容積を第一の物品６１の太さに合わせた大きさにして、第一の物品６１の姿勢をより良好に維持できる。
即ち、本実施形態によれば、自立性に優れる仕切本体１０によって、太さの異なる２つの物品を安定して包装箱内に容易に収容できる。
また、本実施形態によれば、ブランク１ａを折り曲げるという簡単な作業で仕切材１を形成でき、包装箱５０へ容易に収容できる。
【００２９】
（第二の実施形態）
本発明の第二の実施形態にかかる仕切材は、第一の実施形態における仕切材１と、仕切材１の鏡像体である仕切材とが、第二の脚部の先端同士で連結されたものである。
本実施形態の仕切材について、以下に図面を参照して説明する。
図６の仕切材１００は、左仕切本体１１０ａと、右仕切本体１１０ｂと、左第一の脚部１２０ａと、右第一の脚部１２０ｂと、第二の脚部１３０と、を備える。即ち、本実施形態の仕切材１００は、２つの仕切本体を備え、包装箱内に３つの収容部を形成できる。
左仕切本体１１０ａは、板状の部材が折り曲げられて、上下方向に延びる折曲縁１１１が形成されている。折曲縁１１１を介して設けられた左第一の板部１１２ａと左第二の板部１１４ａとは、折曲縁１１１を軸にして角度θ１１が広がる方向に付勢されている。左第一の板部１１２ａの下端１１３には、左第一の脚部１２０ａが延設され、左第二の板部１１４ａの下端１１５には、第二の脚部１３０が延設されている。左第一の脚部１２０ａは、左第二の板部１１４ａから離れる方向に延び、第二の脚部１３０は左第一の板部１１２ａから離れる方向に延びている。
右仕切本体１１０ｂは、板状の部材が折り曲げられて、上下方向に延びる折曲縁１１１が形成されている。折曲縁１１１を介して設けられた右第一の板部１１２ｂと右第二の板部１１４ｂとは、折曲縁１１１を軸にして角度θ１２が広がる方向に付勢されている。右第一の板部１１２ｂの下端１１３には、右第一の脚部１２０ｂが延設され、右第二の板部１１４ｂの下端１１５には、第二の脚部１３０が延設されている。右第一の脚部１２０ｂは、右第二の板部１１４ｂから離れる方向に延び、第二の脚部１３０は右第一の板部１１２ｂから離れる方向に延びている。
本実施形態において、左仕切本体１１０ａと右仕切本体１１０ｂは、第二の脚部１３０を共有している。
【００３０】
左第一の脚部１２０ａは、平面視矩形とされ、左第一の板部１１２ａから離れるに従い縮幅する。第二の脚部１３０は、左第二の板部１１４ａから同じ幅で伸びる平面視長方形とされている。右第一の脚部１２０ｂは、平面視矩形とされ、右第一の板部１１２ｂから離れるに従い縮幅する。
左第一の脚部１２０ａは、仕切材１００が包装箱に収容された際に、包装箱における折曲縁１１１に面する内面に当接する左第一の辺１２１ａを有する。左第一の板部１１２ａと左第一の脚部１２０ａとの境界（即ち、下端１１３）線と、左第一の辺１２１ａとは、角度θ１３で交差している。
右第一の脚部１２０ｂは、仕切材１００が包装箱に収容された際に、包装箱における折曲縁１１１に面する内面に当接する右第一の辺１２１ｂを有する。右第一の板部１１２ｂと右第一の脚部１２０ｂとの境界（即ち、下端１１３）線と、右第一の辺１２１ｂとは、角度θ１６で交差している。
第二の脚部１３０は、仕切材１００が包装箱に収容された際に、包装箱における折曲縁１１１に面する内面に当接する第二の辺１３１を有する。左第二の板部１１４ａと第二の脚部１３０との境界（即ち、下端１１５）線と、第二の辺１３１とは、角度θ１４で交差している。また、右第二の板部１１４ｂと第二の脚部１３０との境界（即ち、下端１１５）線と、第二の辺１３１とは、角度θ１５で交差している。
本実施形態において、角度θ１３及び角度θ１６は鋭角とされ、角度θ１４及び角度θ１５は直角とされている。
角度θ１３と角度θ１６とは、同じでもよいし、異なってもよい。また、角度θ１４と角度θ１５とは、同じでもよいし、異なってもよい。
【００３１】
仕切材１００は、例えば、図７のブランク１００ａにより構成される。
ブランク１００ａは、板状の部材であり、平面視において一方を長手とする長方形である。
ブランク１００ａは、平面視長方形の左第一の板部１１２ａを備える。
左第一の板部１１２ａには、その長手を形成する一方の辺から、平面視長方形の左第二の板部１１４ａが延設されている。左第一の板部１１２ａと左第二の板部１１４ａとの境界には、山折線１１１ａが形成されている。
左第一の板部１１２ａには、その短手を形成する一方の辺から延びる左第一の脚部１２０ａが延設され、この左第一の脚部１２０ａは、左第一の板部１１２ａから離れるに従い縮幅する平面視矩形とされている。左第一の板部１１２ａと左第一の脚部１２０ａとの境界には谷折線１１３ａが形成されている。
左第二の板部１１４ａには、左第一の脚部１２０ａと同方向に延びる平面視長方形の第二の脚部１３０が延設されている。左第二の板部１１４ａと第二の脚部１３０との境界には、谷折線１１５ａが形成されている。
第二の脚部１３０には、左第二の板部１１４ａと反対側に、平面視長方形の右第二の板部１１４ｂが延設されている。第二の脚部１３０と右第二の板部１１４ｂとの境界には、谷折線１１５ａが形成されている。
右第二の板部１１４ｂには、左第一の板部１１２ａと同方向に延びる平面視長方形の右第一の板部１１２ｂが延設されている。右第一の板部１１２ｂと右第二の板部１１４ｂとの境界には、山折線１１１ａが形成されている。
右第一の板部１１２ｂには、その短手を形成する一方の辺から左第一の脚部１２０ａに向かって延びる右第一の脚部１２０ｂが延設され、この右第一の脚部１２０ｂは、右第一の板部１１２ｂから離れるに従い縮幅する平面視矩形とされている。
ブランク１００ａにおいて、左第一の脚部１２０ａの左第一の辺１２１ａは、左第一の板部１１２ａから離れるに従い、第二の辺１３１から離れる。また、右第一の脚部１２０ｂの右第一の辺１２１ｂは、右第一の板部１１２ｂから離れるに従い、第二の辺１３１から離れる。
ブランク１００ａにおいて、谷折線１１５ａは、谷折線１１３ａと１直線を形成し、この直線は、山折線１１１ａと直交する。
【００３２】
ブランク１００ａの材質は、第一の実施形態におけるブランク１ａと同様である。
【００３３】
ブランク１００ａは、例えば、以下の手順で、図６の仕切材１００とされる。
山折線１１１ａでブランク１００ａを山折りし、左仕切本体１１０ａ及び右仕切本体１１０ｂを形成する。谷折線１１３ａでブランク１００ａを谷折りし、谷折線１１５ａでブランク１００ａを谷折りにする。こうして、ブランク１００ａから、左仕切本体１１０ａと、右仕切本体１１０ｂと、左第一の脚部１２０ａと、右第一の脚部１２０ｂと、第二の脚部１３０とを備える仕切材１００を得る。
【００３４】
仕切材１００の使用方法の一例を説明する。
まず、包装箱内に仕切材１００を収容する。この際、左第一の脚部１２０ａ、右第一の脚部１２０ｂ及び第二の脚部１３０が包装箱の底部に当接するようにする。包装箱内に収容された仕切材１００は、角度θ１１及び角度θ１２を広げるように付勢されているため、左第一の板部１１２ａと左第二の板部１１４ａとが広がるように作用し、右第一の板部１１２ｂと右第二の板部１１４ｂとが広がるように作用する。そして、左第一の辺１２１ａ、右第一の辺１２１ｂ及び第二の辺１３１は、包装箱における折曲縁１１１に面する内面に当接して、角度θ１１及び角度θ１２が所望の角度で規制される。この際、角度θ１３が鋭角とされ、角度θ１４が直角とされているため、角度θ１１は左第一の板部１１２ａ方向に広がり、左第一の脚部１２０ａ上の空間を狭める。また、角度θ１６が鋭角とされ、角度θ１５が直角とされているため、角度θ１２は右第一の板部１１２ｂ方向に広がり、右第一の脚部１２０ｂ上の空間を狭める。
このため、第二の脚部１３０に載せられた物品よりも細い物品を左第一の脚部１２０ａ上及び右第一の脚部１２０ｂ上で安定して収容できる。
【００３５】
（第三の実施形態）
本発明の第三の実施形態にかかる仕切材は、第一の実施形態における仕切材１において、第一の脚部２０と第二の脚部３０とに上下方向の段差を設けたものである。
本実施形態の仕切材について、以下に図面を参照して説明する。なお、第一の実施形態と同じ構成には同じ符号を付してその説明を省略する。
本実施形態の仕切材２００は、仕切本体２１０と、仕切本体２１０の下端に設けられた第一の脚部２０と第二の脚部３０とを備える。
【００３６】
仕切本体２１０は、第一の板部２１２と、第一の板部２１２と折曲縁２１１を介して設けられた第二の板部１４とを備える。
第一の板部２１２の下端２１３には、第一の脚部２０が延設されている。下端２１３は第二の板部１４の下端１５よりも上方に位置している。即ち、第一の脚部２０と第二の脚部３０とは、上限方向の段差をもって設けられている。
後述するように、第一の脚部２０と第二の脚部３０とに段差があることで、仕切本体２１０は第一の板部２１２方向に傾斜する。
第一の板部２１２の下端２１３と第二の板部１４の下端１５との距離（段差）Ｄ１は、包装箱に収容される物品の大きさ等を勘案して適宜決定される。段差Ｄ１が小さすぎると、仕切本体２１０の傾きが小さくなりすぎて、本発明の効果を奏しにくい。段差Ｄ１が大きすぎると、下端１５の近傍で第二の板部１４が折れ曲がり、仕切本体２１０の強度が低下するおそれがある。このため、段差Ｄ１は、１〜２０ｍｍが好ましい。
【００３７】
仕切材２００は、例えば、図９のブランク２００ａにより構成される。
ブランク２００ａは、板状の部材である。ブランク２００ａは、平面視長方形の第一の板部２１２と、第一の板部２１２の長手を形成する一方の辺から延設された平面視長方形の第二の板部１４とを備え、第一の板部２１２と第二の板部１４との境界に山折線２１１ａが形成されている。
第一の板部２１２の長手方向の一端には、第一の脚部２０が延設され、第一の板部２１２と第一の脚部２０との境界には谷折線２１３ａが形成されている。本実施形態において、谷折線２１３ａと谷折線１５ａとは、山折線２１１ａの延在方向にずれている。
【００３８】
ブランク２００ａの材質は、ブランク１ａと同様である。
【００３９】
ブランク２００ａは、例えば、以下の手順で、図８の仕切材２００とされる。
山折線２１１ａでブランク２００ａを山折りし、仕切本体２１０を形成する。谷折線２１３ａでブランク２００ａを谷折りし、谷折線１５ａでブランク２００ａを谷折りする。こうして、ブランク２００ａから、仕切本体２１０の下端に第一の脚部２０及び第二の脚部３０が段差をもって設けられた仕切材２００を得る。
【００４０】
仕切材２００の使用方法について、第一の脚部２０に載せる物品を第一の物品とし、第二の脚部３０に載せる物品を第二の物品として説明する。本実施形態において、第一の物品は、第二の物品よりも細くかつ高さが低いものである。
第一の実施形態の仕切材１と同様にして、包装箱内に仕切材２００を収容する。この段階において、第二の板部１４の下端１５は包装箱の底部に当接し、第一の板部２１２の下端２１３は、包装箱の底部と離間している。
仕切材２００を包装箱内に収容すると、包装箱内は仕切本体１０により仕切られる。
【００４１】
次いで、第二の脚部３０に第二の物品を載せ、第一の脚部２０に第一の物品を載せる。
第二の脚部３０に第二の物品を載せると、第二の脚部３０は、包装箱の底部に押し付けられる。
第一の脚部２０に第一の物品を載せると、第一の脚部２０が包装箱の底部に押し付けられ、第一の板部２１２の下端２１３が、包装箱の底部方向（即ち、下方）に引っ張れる。下端２１３が下方に引っ張られると、仕切本体２１０は、Ｘ１方向に傾斜して、第一の物品を押さえ付けるように作用する。この際、第一の板部２１２と第二の板部１４とは上下方向に延びる折曲縁２１１を介して連結されているため、第一の板部２１２と第二の板部１４とは、一体となってＸ１方向に付勢される。加えて、第一の板部２１２と第二の板部１４とは角度θ１が広がる方向に付勢されているため、仕切本体２１０は、Ｘ１方向に向けてより強く付勢される。そして、仕切本体２１０は、第一の物品方向に傾斜した姿勢を保ち、第一の物品の上方に緩衝材等を設けなくても、第一の物品の姿勢を包装箱内で安定にできる。
【００４２】
本実施形態によれば、第一の脚部２０と第二の脚部３０とが段差をもって設けられているため、物品と共に包装箱に収容されると、仕切本体２１０が一方に傾斜し、物品を押さえ付ける。このため、高さ及び太さの異なる２つの物品を安定して収容できる。
【００４３】
（その他の実施形態）
上述の実施形態では、１つの包装箱に１つの仕切材を収容している。しかしながら、本発明はこれに限定されず、包装箱に収容される仕切材の数は、包装箱に収容される物品の数に応じて適宜決定されればよい。
【００４４】
上述の実施形態では、第一の板部及び第二の板部が、ブランクにおいて平面視長方形とされている。しかしながら、本発明はこれに限定されず、第一の板部及び第二の板部の形状は、上下方向に延びる折曲縁が形成される形状であれば特に限定されない。
【００４５】
上述の実施形態では、第一の脚部及び第二の脚部が、ブランクにおいて平面視矩形とされているが、本発明はこれに限定されず、第一の脚部及び第二の脚部は、平面視矩形以外の形状でもよい。
【００４６】
第一及び第二の実施形態では、第一の板部の下端及び第二の板部の下端は、折曲縁の端部に位置しているが、本発明はこれに限定されず、第一の板部の下端及び第二の板部の下端が折曲縁から離れていてもよい。ただし、仕切本体の剛性をより高める観点から、第一の板部の下端及び第二の板部の下端は、折曲縁の端部に位置するのが好ましい。
第三の実施形態では、第一の板部の下端は、折曲縁の端部に位置しているが、本発明はこれに限定されず、第一の板部の下端が折曲縁から離れていてもよい。ただし、物品に対する仕切本体の押さえ付ける力を高め、物品の姿勢をより安定に保つ観点から、第一の板部の下端は、折曲縁の端部に位置するのが好ましい。
【００４７】
上述の実施形態では、第一の板部とこれに延設された第一の脚部とは、同じ幅とされているが、本発明はこれに限定されず、第一の板部と第一の脚部の幅は、相互に異なってもよい。
上述の実施形態では、第二の板部とこれに延設された第二の脚部とは、同じ幅とされているが、本発明はこれに限定されず、第二の板部と第二の脚部の幅は、相互に異なってもよい。
【００４８】
第一及び第三の実施形態では、第一の脚部が第二の脚部よりも短いが、本発明はこれに限定されず、第一の脚部が第二の脚部より長くてもよいし、第一の脚部と第二の脚部とが同じ長さでもよい。
【００４９】
第三の実施形態では、第一の脚部が第二の脚部よりも上方に位置しているが、本発明はこれに限定されず、第二の脚部が第一の脚部より上方に位置してもよい。
【００５０】
第一及び第二の実施形態では、第一の板部と第二の板部の長さが同等であるが、本発明はこれに限定されず、第一の板部と第二の板部との長さが相互に異なってもよい。
第三の実施形態では、第一の板部が第二の板部よりも短いが、本発明はこれに限定されず、第一の板部の下端が第二の板部の下端よりも上方に位置していれば、第一の板部と第二の板部とが同じ長さでもよいし、第一の板部が第二の板部よりも長くてもよい。
【００５１】
また、第二の実施形態において、第一の脚部と第二の脚部とに段差が設けられていないが、本発明はこれに限定されず、第一の脚部と第二の脚部とが上下方向にずれていてもよい。
【００５２】
上述の実施形態では、第一の板部と第一の脚部との境界線と、第一の辺とのなす角度が鋭角とされ、第二の板部と第二の脚部との境界線と、第二の辺とのなす角度が直角とされているが、本発明はこれに限定されない。
例えば、第二の板部と第二の脚部との境界線と、第二の辺とのなす角度が鈍角又は鋭角とされていてもよい。
また、例えば、第一の板部と第一の脚部との境界線と、第一の辺とのなす角度が、第二の板部と第二の脚部との境界線と、第二の辺とのなす角度と同じでもよい。
あるいは、例えば、第一の板部と第一の脚部との境界線と、第一の辺とのなす角度が直角又は鈍角とされ、第二の板部と第二の脚部との境界線と、第二の辺とのなす角度が鋭角とされていてもよい。
【符号の説明】
【００５３】
１、１００、２００  仕切材
１０、２１０  仕切本体
１１、１１１、２１１  折曲縁
１２、２１２  第一の板部
１３、１５、１１３、１１５、２１３  下端
１４  第二の板部
２０  第一の脚部
３０、１３０  第二の脚部
１１０ａ  左仕切本体
１１０ｂ  右仕切本体
１１２ａ  左第一の板部
１１２ｂ  右第一の板部
１１４ａ  左第二の板部
１１４ｂ  右第二の板部
１２０ａ  左第一の脚部
１２０ｂ  右第一の脚部
【図１】
2015209228.tif 000003
【図２】
2015209228.tif 000004
【図３】
2015209228.tif 000005
【図４】
2015209228.tif 000006
【図５】
2015209228.tif 000007
【図６】
2015209228.tif 000008
【図７】
2015209228.tif 000009
【図８】
2015209228.tif 000010
【図９】
2015209228.tif 000011
【図１０】
2015209228.tif 000012